(57)【特許請求の範囲】
【請求項１】
壁面に設けられた配線器具の周囲を囲うように当該壁面に固定されるベースと、配線器具を被覆する被覆位置と配線器具を開放する開放位置との間で開閉可能となるように前記ベースに取り付けられたカバー体と、を備えた配線器具の防雨構造において、
前記ベースには、前記壁面から離間する方向に突出して配線器具の少なくとも上方を覆う内壁が設けられ、
前記内壁の上方で、前記カバー体の上壁部に設けられた切欠部に前記ベースの上端部に形成された突起部を嵌め込むとともに、それら上壁部と突起部とに形成されて壁面に沿って水平方向に伸びる貫通孔に回動軸を差し込んで、当該回動軸を回動中心としてベースに対してカバー体を上下方向に開閉可能とするヒンジ機構が構成され、
配線器具の上方において、前記内壁と前記突起部との間に、前記壁面に沿った横方向に伸びる間隙が形成され、当該間隙内で、毛細管現象によって水が前記壁面に沿う横方向に移送されるようにしたことを特徴とする配線器具の防雨構造。
【請求項２】
壁面に設けられた配線器具の周囲を囲うように当該壁面に固定されるベースと、配線器具を被覆する被覆位置と配線器具を開放する開放位置との間で開閉可能となるように前記ベースに取り付けられたカバー体と、を備えた配線器具の防雨構造において、
前記ベースには、前記壁面から離間する方向に突出して配線器具の少なくとも上方を覆う内壁が設けられ、
前記内壁の上方で、前記カバー体の上壁部に設けられた切欠部に前記ベースの上端部に形成された突起部を嵌め込むとともに、それら上壁部と突起部とに形成されて壁面に沿って水平方向に伸びる貫通孔に回動軸を差し込んで、当該回動軸を回動中心としてベースに対してカバー体を上下方向に開閉可能とするヒンジ機構が構成され、
配線器具の上方において、前記内壁と前記上壁部との間に、前記壁面から離間する方向に伸びる間隙が形成され、当該間隙内で、毛細管現象によって水が前記壁面から離間する方向に移送されるようにしたことを特徴とする配線器具の防雨構造。
【請求項３】
壁面に設けられた配線器具の周囲を囲うように当該壁面に固定されるベースと、配線器具を被覆する被覆位置と配線器具を開放する開放位置との間で開閉可能となるように前記ベースに取り付けられたカバー体と、を備えた配線器具の防雨構造において、
前記ベースには、前記壁面から離間する方向に突出して配線器具の少なくとも上方を覆う内壁が設けられ、
前記内壁の上方で、前記カバー体の上壁部に設けられた切欠部に前記ベースの上端部に形成された突起部を嵌め込むとともに、それら上壁部と突起部とに形成されて壁面に沿って水平方向に伸びる貫通孔に回動軸を差し込んで、当該回動軸を回動中心としてベースに対してカバー体を上下方向に開閉可能とするヒンジ機構が構成され、
配線器具の上方において、前記内壁と前記突起部との間に、前記壁面に沿った横方向に伸びる間隙が形成され、当該間隙内で、毛細管現象によって水が前記壁面に沿う横方向に移送されるようにし、かつ、
配線器具の上方において、前記内壁と前記上壁部との間に、前記壁面から離間する方向に伸びる間隙が形成され、当該間隙内で、毛細管現象によって水が前記壁面から離間する方向に移送されるようにしたことを特徴とする配線器具の防雨構造。
【請求項４】
配線器具の上方の前記内壁上に進入する水の量を左右非対称とする漏水通路が設けられることを特徴とする請求項１〜３のうちいずれか一つに記載の配線器具の防雨構造。
【請求項５】
配線器具の上方に形成される前記内壁の前記壁面から遠い側の端縁に、上方に伸びる端壁部が形成されることを特徴とする請求項１〜４のうちいずれか一つに記載の配線器具の防雨構造。
【請求項６】
前記カバー体には、配線器具に接続される配線をカバー体の内外で挿通させるパッキンを装着した切欠が形成されるとともに、前記パッキンがカバー体の内側に屈曲するのを規制するリブが形成されることを特徴とする請求項１〜５のうちいずれか一つに記載の配線器具の防雨構造。
【請求項７】
前記カバー体の横方向中央部には、所定幅で上下方向に伸びる外側膨出部が形成されることを特徴とする請求項１〜６のうちいずれか一つに記載の配線器具の防雨構造。
【発明の詳細な説明】
【技術分野】
【０００１】
本発明は、壁面に設置された配線器具を水から保護する配線器具の防雨構造に関する。
【背景技術】
【０００２】
従来の配線器具の防雨構造として、建造物等の屋外の壁面に設けられた配線器具の周囲を囲うように当該壁面に固定されるベースと、配線器具を被覆する被覆位置と配線器具を開放する開放位置との間で開閉可能となるようにベースに取り付けられたカバー体と、を備えるとともに、当該ベースに、配線器具の周囲を取り囲む内壁を設けることで、外からカバー体の内側に進入した水が配線器具にかからないようにしたものが知られている（例えば特許文献１）。
【０００３】
また、更なる防滴性の向上を図るべく、その内壁の端縁にパッキンを設けたものも知られている。
【特許文献１】特開２０００−３１２４１８号公報
【発明の開示】
【発明が解決しようとする課題】
【０００４】
しかしながら、内壁にパッキンを設けると、その分、部品点数が増大し、製造の手間も増大して、ひいては製造コストが上昇してしまう。
【０００５】
そこで、本発明は、より簡素な構成で、より防滴性の高い配線器具の防雨構造を得ることを目的とする。
【課題を解決するための手段】
【０００６】
請求項１の発明にあっては、壁面に設けられた配線器具の周囲を囲うように当該壁面に固定されるベースと、配線器具を被覆する被覆位置と配線器具を開放する開放位置との間で開閉可能となるように上記ベースに取り付けられたカバー体と、を備えた配線器具の防雨構造において、上記ベースには、上記壁面から離間する方向に突出して配線器具の少なくとも上方を覆う内壁が設けられ、上記内壁の上方で、上記カバー体の上壁部に設けられた切欠部に上記ベースの上端部に形成された突起部を嵌め込むとともに、それら上壁部と突起部とに形成されて壁面に沿って水平方向に伸びる貫通孔に回動軸を差し込んで、当該回動軸を回動中心としてベースに対してカバー体を上下方向に開閉可能とするヒンジ機構が構成され、配線器具の上方において、上記内壁と上記突起部との間に、上記壁面に沿った横方向に伸びる間隙が形成され、当該間隙内で、毛細管現象によって水が上記壁面に沿う横方向に移送されるようにしたことを特徴とする。
【０００７】
請求項２の発明にあっては、壁面に設けられた配線器具の周囲を囲うように当該壁面に固定されるベースと、配線器具を被覆する被覆位置と配線器具を開放する開放位置との間で開閉可能となるように上記ベースに取り付けられたカバー体と、を備えた配線器具の防雨構造において、上記ベースには、上記壁面から離間する方向に突出して配線器具の少なくとも上方を覆う内壁が設けられ、上記内壁の上方で、上記カバー体の上壁部に設けられた切欠部に上記ベースの上端部に形成された突起部を嵌め込むとともに、それら上壁部と突起部とに形成されて壁面に沿って水平方向に伸びる貫通孔に回動軸を差し込んで、当該回動軸を回動中心としてベースに対してカバー体を上下方向に開閉可能とするヒンジ機構が構成され、配線器具の上方において、上記内壁と上記上壁部との間に、上記壁面から離間する方向に伸びる間隙が形成され、当該間隙内で、毛細管現象によって水が上記壁面から離間する方向に移送されるようにしたことを特徴とする。
【０００８】
請求項３の発明にあっては、壁面に設けられた配線器具の周囲を囲うように当該壁面に固定されるベースと、配線器具を被覆する被覆位置と配線器具を開放する開放位置との間で開閉可能となるように上記ベースに取り付けられたカバー体と、を備えた配線器具の防雨構造において、上記ベースには、上記壁面から離間する方向に突出して配線器具の少なくとも上方を覆う内壁が設けられ、上記内壁の上方で、上記カバー体の上壁部に設けられた切欠部に上記ベースの上端部に形成された突起部を嵌め込むとともに、それら上壁部と突起部とに形成されて壁面に沿って水平方向に伸びる貫通孔に回動軸を差し込んで、当該回動軸を回動中心としてベースに対してカバー体を上下方向に開閉可能とするヒンジ機構が構成され、配線器具の上方において、上記内壁と上記突起部との間に、上記壁面に沿った横方向に伸びる間隙が形成され、当該間隙内で、毛細管現象によって水が上記壁面に沿う横方向に移送されるようにし、かつ、配線器具の上方において、上記内壁と上記上壁部との間に、上記壁面から離間する方向に伸びる間隙が形成され、当該間隙内で、毛細管現象によって水が上記壁面から離間する方向に移送されるようにしたことを特徴とする。
【０００９】
請求項４の発明にあっては、配線器具の上方の上記内壁上に進入する水の量を左右非対称とする漏水通路が設けられることを特徴とする。
【００１０】
請求項５の発明にあっては、配線器具の上方に形成される上記内壁の上記壁面から遠い側の端縁に、上方に伸びる端壁部が形成されることを特徴とする。
【００１１】
請求項６の発明にあっては、上記カバー体には、配線器具に接続される配線をカバー体の内外で挿通させるパッキンを装着した切欠が形成されるとともに、上記パッキンがカバー体の内側に屈曲するのを規制するリブが形成されることを特徴とする。
【００１２】
請求項７の発明にあっては、上記カバー体の横方向中央部には、所定幅で上下方向に伸びる外側膨出部が形成されることを特徴とする。
【発明の効果】
【００１３】
請求項１の発明によれば、内壁と突起部とによって毛細管現象を生じさせる程度の大きさの隙間を形成することで、水を壁面に沿った横方向に移送することができるため、より簡素な構成によって配線器具を水から保護することができる。
【００１４】
請求項２の発明によれば、内壁と上壁部とによって毛細管現象を生じさせる程度の大きさの隙間を形成することで、水を壁面から離間する方向に移送することができるため、より簡素な構成によって配線器具を水から保護することができる。
【００１５】
請求項３の発明によれば、内壁と突起部とによって毛細管現象を生じさせる程度の大きさの隙間を形成することで、水を壁面に沿った横方向に移送することができるとともに、内壁と上壁部とによって毛細管現象を生じさせる程度の大きさの隙間を形成することで、水を壁面から離間する方向に移送することができるため、より簡素な構成によって配線器具を水から保護することができる。
【００１６】
請求項４の発明によれば、進入した水量の左右差によって、配線器具の上方の内壁上で水滴の左右バランスを崩し、当該内壁上に表面張力によって水が滞留するのを抑制して、配線器具に上方から水がかかるのを抑制することができる。
【００１７】
請求項５の発明によれば、端壁部により、配線器具の上方の内壁の端縁を超えて配線器具側に水が進入するのを抑制することができる。
【００１８】
請求項６の発明によれば、パッキンが内側に屈曲して配線との間に隙間が形成されるのを抑制し、当該隙間を経由してカバー体内に水が進入するのを抑制することができる。
【００１９】
請求項７の発明によれば、外側膨出部を把持部として利用することができる分、カバー体を持ちやすくなり、開閉させやすくなるという利点がある。
【発明を実施するための最良の形態】
【００２０】
以下、本発明の実施形態について図面を参照しながら詳細に説明する。図１は、本実施形態にかかる防滴カバーのカバー体が開放位置にある状態を示す図、図２は、カバー体が被覆位置にある状態を示す図、図３は、配線器具および防滴カバーの分解斜視図、図４は、防滴カバーの一部と配線器具の正面図（図５のＢ−Ｂ断面図）、図５は、防滴カバーおよび配線器具の側方断面図（図４のＡ−Ａ断面図）、図６は、防滴カバーの平面図、図７は、内壁の上部を示す模式図（正面図）、図８は、ベースとカバー体との接続部の斜視図、図９は、カバー体の斜視図、図１０は、防滴カバーの斜視図である。なお、図中、ＵＰは、鉛直上方向を示す。また、適宜、破線の矢印によって、水の移送経路を示す。
【００２１】
建造物等の屋外の壁面（取付壁面）Ｗ上には配線器具２が取り付けられており、この配線器具２を雨水や水はねによる水等から保護すべく、当該壁面Ｗには、配線器具２を覆う防滴カバー１が取り付けられている。本実施形態では、配線器具２は、配線（電源ケーブル）３に取り付けられたプラグ４が差し込まれるコンセント装置として構成されている。なお、防滴カバー１および配線器具２は、いずれも、壁内に埋設された収納ボックス１８にネジ等を用いて固定されている。
【００２２】
防滴カバー１は、基本的には、配線器具２の周囲を囲うように壁面Ｗに固定されるベース６と、配線器具２を被覆する被覆位置（図２）と配線器具２を開放する開放位置（図１）との間で開閉可能となるようにベース６に取り付けられたカバー体５と、を備えてなるものである。本実施形態では、壁面Ｗに沿うプレート状のベース６の表面６ａを、膨出成形されたカバー体５によって覆い被せるようにして、ベース６の表面６ａとカバー体５の凹部の内面とで囲まれた内部空間が形成されるようにしている。この防滴カバー１は、基本的には、外部から内部空間内に水がなるべく進入しないように構成されるが、より確実な防滴性を得るため、進入した水を排出する機構も備えている。
【００２３】
これらカバー体５およびベース６は、好適には、耐候性が良好な合成樹脂を所定形状に成形して構成される。また、カバー体５の少なくとも一部を透明とすれば、カバー体５を開放することなく配線器具２における配線の接続状態を視認できるようになるという利点がある。
【００２４】
そして、本実施形態では、カバー体５の上部が、配線器具２よりも上方で壁面Ｗに沿う横方向（壁面Ｗに固定された状態における略水平方向）に伸びる回動軸９（図３）を軸心とするヒンジ機構１６（図４）を介して、ベース６の上部に回動可能に軸支されており、カバー体５を持って上方に持ち上げると、図１のようにベース６および配線器具２が露出するように構成されている。
【００２５】
このカバー体５は、コイルスプリング１０（図３）によって閉じる方向に付勢されており、カバー体５を持つ手を放すと、コイルスプリング１０の付勢力によって、開放位置（図１）から被覆位置（図２）に戻る。かかる構成により、カバー体５が開放されたままになって配線器具２に水がかかるような事態が抑制される。
【００２６】
また、カバー体５の下部には、切欠５ｉが形成されており、カバー体５が被覆位置にある状態では、当該切欠５ｉとベース６の下端部とによって、配線３の挿通口が形成されるようになっている。この切欠５ｉには、水の進入を抑制すべくパッキン８が取り付けられている。
【００２７】
さらに、ベース６と壁面Ｗとの間には、枠状のパッキン７（図３）が介装され、これにより、ベース６と壁面Ｗとの間から内部空間への水の進入が抑制される。配線器具２は、ベース６の中央部に形成された略矩形状の開口部６ｄ内に一部を挿入した状態で、当該ベース６の表面６ａ上に突設される。
【００２８】
ヒンジ機構１６は、図４に示すような構成を備えている。すなわち、カバー体５の上壁部５ｂに設けられた切欠部５ｃに、ベース６の上端部に形成された突起部６ｂが嵌め込まれ、これら上壁部５ｂおよび突起部６ｂに形成された貫通孔５ｄ，６ｃを貫くように回動軸９が差し込まれることで、当該回動軸９を回動中心としてベース６とカバー体５とが相対的に回動可能となる構成が得られている。この回動軸９には、コイルスプリング１０が巻回されており、このコイルスプリング１０によって、カバー体５がベース６に対して閉じる方向に付勢されている。なお、本実施形態では、コイルスプリング１０はベース６の横方向のほぼ中央部に配置され、それを左右両側から挟むように、切欠部５ｃと突起部６ｂとの嵌合部が配置されている。
【００２９】
この種の防滴カバー１では、カバー体５とベース６との境界部分の隙間から防滴カバー１の内部空間への水の進入を完全に防止するのは難しい。特に、本実施形態のように、防滴カバー１の上方にヒンジ機構１６を設けると、図６等に示すように、ヒンジ機構１６の上壁部５ｂ（切欠部５ｃ）と突起部６ｂとの間の隙間が形成され、この隙間の上側に水が滞留して、その水が上方からベース６とカバー体５との隙間を通じて内部空間に進入してくる場合がある。そこで、本実施形態では、配線器具２とカバー体５との間に内壁１１を介在させ、具体的には、ベース６の表面６ａ上に、配線器具２の上方および側方を取り囲む平面視で略Ｃ字状の内壁１１を立設することで、防滴カバー１内に進入した水を堰き止めるとともに、配線器具２から遠ざける方向に排水するようにしている。なお、上壁部１１ａは、完全な平坦面とせず、中央部から側方に向けて緩やかに下向きに傾斜させ、水の排出性を高めている。また、内壁１１の下部は、配線３を挿通するために切り欠いている。
【００３０】
さらに、本実施形態では、この内壁１１と、当該内壁１１に対して配線器具２の反対側に位置する別の部材（カバー体５や、ベース６の内壁１１以外の部分等）との間で適切な大きさの間隙Ｇ１（図４），Ｇ２（図５）を形成し、当該間隙Ｇ１，Ｇ２において毛細管現象を生じさせることで、所期の方向に水を移送させ、かつ、排水を促進するようにしている。
【００３１】
具体的には、図４に示すように、内壁１１の上壁部１１ａと、カバー体５の上壁部５ｂ
との間に、壁面Ｗに沿った横方向（本実施形態では略水平方向）に伸びる帯状の間隙Ｇ１を形成し、当該壁面Ｗに沿った横方向に水を移送するようにしている。この間隙Ｇ１の大きさは、上壁部５ｂ，１１ａの撥水性や、内壁１１上への進入水量等に応じて適宜に設定される。なお、上壁部１１ａの上面あるいは上壁部５ｂの下面に、内壁１１の延設方向に沿う微細な溝あるいは突起を設け、間隙Ｇ１の延伸方向に沿う排水を促進させるようにしてもよい。なお、間隙Ｇ１を移送された水は、内壁１１の側壁部１１ｃ上を伝って下降する。
【００３２】
また、図５に示すように、内壁１１の上壁部１１ａおよび上壁部１１ａから壁面Ｗと離間する方向に張り出させた突壁部１１ｂと、カバー体５の上壁部５ｂとの間に、壁面Ｗから離間する方向（本実施形態では略水平方向）に伸びる間隙Ｇ２を形成し、当該壁面Ｗから離間する方向に水を移送するようにしている。この間隙Ｇ２の大きさも、上壁部５ｂや、上壁部１１ａ、突壁部１１ｂの撥水性や、内壁１１上への進入水量等に応じて適宜に設定される。なお、上壁部１１ａや突壁部１１ｂの上面あるいは上壁部５ｂの下面に、内壁１１の延設方向に沿う微細な溝あるいは突起を設け、間隙Ｇ１の延伸方向に沿う排水を促進させるようにしてもよい。
【００３３】
ここで、本実施形態では、突壁部１１ｂの先端を、カバー体５の上壁部５ｂと外側膨出部１７の天壁部５ｅとの境界近傍まで延設し、間隙Ｇ２内を移送された水を、カバー体５の内面（天壁部５ｅの内面）を伝わせて下降させている。こうすることで、配線器具２に水がかかるのをより確実に抑制することができる上、天壁部５ｅの内面を伝わせることで、簡素な構成で排水経路を確保することができる。
【００３４】
また、本実施形態では、上壁部１１ａの形状を左右非対称に形成している。図７は、上壁部１１ａを上下方向に誇張して示す正面図であるが、具体的には、この図７に示すように、上壁部１１ａの凸形状の頂点となる位置Ｍ１を、防滴カバー１（ベース６）の横方向中心Ｍより左側に距離δだけずらしている。
【００３５】
上壁部１１ａ上に水が進入すると、その表面張力によって当該上壁部１１ａ上に水滴が形成される場合があるが、本実施形態の上記左右非対称構造によれば、上壁部１１ａの上面の傾斜が左右で異なるため、重力によって上壁部１１ａ上の水滴の左右バランスが崩れ、当該上壁部１１ａ上に表面張力によって水が滞留するのが抑制され、配線器具２に上方から水がかかるのを抑制することができる。
【００３６】
さらに、本実施形態では、敢えて防滴カバー１の外から上壁部１１ａ上に水を進入させやすくする漏水通路を設け、上壁部１１ａ上に進入する水の量が左右非対称となるようにしている。
【００３７】
具体的には、上壁部５ｂの横方向中央部より正面視で右寄りの位置に、漏水通路として、ヒンジ機構１６の切欠部５ｃ（上壁部５ｂ）と突起部６ｂとの間の隙間と防滴カバー１内とを連通する切欠５ｈ（図８）が形成されており、この切欠５ｈからの水の進入量を増やすことで、図７に示すように、正面視で右側の水の進入量が左側に比べて増大するようにしている。
【００３８】
こうすることで、進入した水量の左右差によって、上壁部１１ａ上の水滴の左右バランスを崩し、当該上壁部１１ａ上に表面張力によって水が滞留するのを抑制して、配線器具２に上方から水がかかるのを抑制することができる。
【００３９】
また、かかる構成では、水がより多く進入する位置には、上壁部１１ａ上に、より広い区間に亘って連続的に一定方向に傾斜する傾斜面が形成されるようにして、重力によって水が流れるのを促進し、水滴が形成されるのをより確実に抑制するのが好適である。
【００４０】
なお、本実施形態では、この切欠５ｈを、カバー体５の内面側のみに形成し、図６に示すように、外見上は、切欠５ｈが形成されていることを判別できないようにしている。また、切欠５ｈをカバー体５の外面側まで拡張させると、拡大した隙間が露出する分、ダストの進入や詰まり等の不具合が懸念されるが、本実施形態のように切欠５ｈをカバー体５の内面に留めておくことで、これを抑制することができる。
【００４１】
一方、本実施形態では、上述したように、カバー体５の下部に形成された切欠５ｉには、水の進入を抑制するためのパッキン８が取り付けられている。このパッキン８は、切欠５ｉに嵌め込まれるフレーム部８ａと、当該フレーム部８ａの内側で縦横の切り込み８ｃによって形成される襞部８ｂとを備えており、この襞部８ｂを、挿通させる配線３の周壁に沿って変形させることで、シール性を高めている。
【００４２】
さらに、図９に示すように、カバー体５の下部のパッキン８の上側（すなわちカバー体５の内側）に隣接した位置には、板状のリブ１５が設けられており、パッキン８がカバー体５の内側方向（防滴カバー１の内部空間側）に屈曲するのが規制されている。これにより、内側に屈曲したパッキン８に沿って外部から水が進入するのを抑制することができる上、リブ１５自体によっても水の進入が抑制される。なお、リブ１５には、配線３を挿通する切欠１５ａを設けているが、この切欠１５ａによって配線３の延伸方向が規制され、パッキン８の部分で配線３が大きく屈曲して切り込み８ｃが拡がりシール性が悪化するのを抑制することができる。
【００４３】
また、本実施形態では、図９および図１０に示すように、カバー体５とベース６とを係合する係合機構が、切欠５ｉに隣接して設けられている。具体的には、切欠５ｉの左右両側のベース６側の角部には係合突起１３，１３が設けられる一方、ベース６には、これに対応する係合凹部１４，１４が設けられており、これら係合突起１３と係合凹部１４とが係合するように構成されている。切欠５ｉに隣接した領域は、剛性が低下して撓みやすくなり、切欠５ｉひいてはパッキン８が変形しやすくなるが、かかる係合機構を設けることで、この部分の剛性が低下するのを抑制することができる。また、この係合機構の隙間を、防滴カバー１の内部から水を排出する排出口として利用することもできる。
【００４４】
さらに、本実施形態では、図１０に示すように、カバー体５の横方向中央には、所定幅で外壁部５ａから外側に膨出した上下方向に伸びる外側膨出部１７が形成されている。この外側膨出部１７は、所定幅（カバー体５の幅の約１／３程度の幅）で帯状に上下に伸びる天壁部５ｅと、その両側の側壁部５ｆとによって、断面略Ｕ字状に形成されている。天壁部５ｅは、外壁部５ａの上縁から徐々に立ち上がっており、その高さは、その上部から中央部にかけては下方に向かうにつれて放物線状に漸増し、中央部から下部にかけてはほぼ一定となっている。また、側壁部５ｆの表面には、微小な凹凸（例えば筋状あるいは点状の凹凸）からなる滑り止め部１２が設けられている。
【００４５】
かかる構成により、外側膨出部１７を持ち上げてカバー体５を容易に開放することができるようになる。さらに、滑り止め部１２を設けた分、カバー体５をより確実に把持することができる。
【００４６】
また、外側膨出部１７の天壁部５ｅの上端部を壁面Ｗに近付けたため、図５に示すように、当該天壁部５ｅの上端部で内壁１１の突壁部１１ｂを天壁部５ｅの上端まで近付けやすくなり、当該天壁部５ｅの内面を排水経路として確保することができる。さらに、天壁部５ｅをその上端部から緩やかに、壁面Ｗ側、すなわち配線器具２側から遠ざけることで、天壁部５ｅの内面上でより確実に水を伝わせながら、水が配線器具２にかかるのを抑制することができる。
【００４７】
以上の本実施形態によれば、内壁１１と当該内壁１１とは別の部材（上壁部５ｂ）とによって毛細管現象を生じさせる程度の大きさの間隙Ｇ１，Ｇ２を形成することで、水を所期の方向に移送することができるため、より簡素な構成によって配線器具２を水から保護することができる。
【００４８】
また、本実施形態によれば、内壁１１（上壁部１１ａ）上に進入した水を、配線器具２の上方で、壁面Ｗに沿った横方向、および壁面Ｗから離間する方向に分配して移送することができるため、配線器具２に上方から水がかかるのをより確実に抑制することができる。
【００４９】
また、本実施形態によれば、内壁１１（上壁部１１ａ）上に進入する水量の左右差をつけることで、上壁部１１ａ上で水滴の左右バランスを崩し、当該上壁部１１ａ上に表面張力によって水が滞留するのを抑制して、配線器具２に上方から水がかかるのを抑制することができる。
【００５０】
また、本実施形態によれば、配線器具２の上方の内壁１１（上壁部１１ａ）の形状の左右差によって、上壁部１１ａ上で水滴の左右バランスを崩し、当該上壁部１１ａ上に表面張力によって水が滞留するのを抑制して、配線器具２に上方から水がかかるのを抑制することができる。
【００５１】
また、本実施形態によれば、リブ１５によってパッキン８が内側に屈曲して配線３との間に隙間が形成されるのを抑制し、当該隙間を経由して防滴カバー１の内部空間に水が進入するのを抑制することができる。
【００５２】
また、本実施形態によれば、カバー体５とベース６とを係合する係合機構を、切欠５ｉに隣接して設けたため、切欠５ｉ、ひいてはパッキン８が変形しにくくなり、パッキン８と配線３との隙間から内部空間に水が進入するのを抑制することができる。
【００５３】
また、本実施形態によれば、外側膨出部１７を把持部として利用することができる分、カバー体５を持ちやすくなり、開閉させやすくなるという利点がある。また、断面略Ｕ字状の外側膨出部１７の内側が、水を下方に排出する溝となって、水をより確実に排出することができる。なお、当該外側膨出部１７の幅は、持ちやすい適宜な大きさとするのがよい。
【００５４】
また、本実施形態によれば、外側膨出部１７に滑り止め部１２を設けた分、カバー体５をより確実に持つことができるようになる。特に、上記外側膨出部１７を設け、カバー体５を透明な材質によって構成した場合、外側膨出部１７の側壁部５ｆに滑り止め部１２を形成することで当該滑り止め部１２を介しての透視性が低下したとしても、天壁部５ｅから内部の接続状態を視認することができる分、視認の障害になりにくいという利点がある。
【００５５】
以上、本発明の好適な実施形態について説明したが、本発明は上記実施形態には限定されず、種々の変形が可能である。
【００５６】
例えば、上記実施形態では、配線器具として電源用のコンセント装置を設けた場合を例示したが、これに替えて、スイッチや、他の配線を接続する配線器具等として構成してもよい。
【００５７】
また、防滴カバーの形状も種々に変形可能である。例えば、上記実施形態ではカバー体を縦開きとしたが、横開きとしてもよいし、配線の導入位置（切欠５ｉの位置）を下部中央部以外に設定した場合についても実施可能である。
【００５８】
また、上記実施形態では、配線器具の上方に、毛細管現象を利用して水を移送する間隙を形成したが、配線器具の側方や下方など、他の部分にも同様の間隙を形成してもよい。
【００５９】
また、ヒンジ機構における隙間を一部で拡げるなどして漏水通路としてもよい。
【００６０】
また、図１１に示すベース６Ａのように、上壁部１１ａの壁面Ｗから遠い側の端縁に、上方に伸びる端壁部１１ｄを設け、当該端縁を超えて上壁部１１ａの下側に水が進入するのを抑制するようにしてもよい。かかる構成によっても、パッキン等を設けることなく、比較的容易に防適性能を向上させることができる。
【図面の簡単な説明】
【００６１】
【図１】本発明の実施形態にかかる防滴カバーのカバー体が開放位置にある状態を示す斜視図。
【図２】本発明の実施形態にかかる防滴カバーのカバー体が被覆位置にある状態を示す斜視図。
【図３】本発明の実施形態にかかる防滴カバーおよび配線器具の分解斜視図。
【図４】本発明の実施形態にかかる防滴カバーの一部と配線器具の正面図（図５のＢ−Ｂ断面図）。
【図５】本発明の実施形態にかかる防滴カバーおよび配線器具の側方断面図（図４のＡ−Ａ断面図）。
【図６】本発明の実施形態にかかる防滴カバーの平面図。
【図７】本発明の実施形態にかかる防滴カバーの内壁の上部を示す模式図（正面図）。
【図８】本発明の実施形態にかかる防滴カバーのベースとカバー体との接続部の斜視図。
【図９】本発明の実施形態にかかる防滴カバーのカバー体の斜視図。
【図１０】本発明の実施形態にかかる防滴カバーの斜視図。
【図１１】本発明の別の実施形態にかかる防滴カバーのベースの正面図（ａ）および側面図（ｂ）。
【符号の説明】
【００６２】
１  防滴カバー
２  配線器具
３  配線
５  カバー体
５ｈ  切欠（漏水通路）
６，６Ａ  ベース
８  パッキン
９  回動軸
１１  内壁
１１ｄ  端壁部
１２  滑り止め部
１５  リブ
１６  ヒンジ機構
１７  外側膨出部
Ｇ１，Ｇ２  間隙
Ｗ  壁面
【図１】
0004432854.tif 000002
【図２】
0004432854.tif 000003
【図３】
0004432854.tif 000004
【図４】
0004432854.tif 000005
【図５】
0004432854.tif 000006
【図６】
0004432854.tif 000007
【図７】
0004432854.tif 000008
【図８】
0004432854.tif 000009
【図９】
0004432854.tif 000010
【図１０】
0004432854.tif 000011
【図１１】
0004432854.tif 000012